(57)【要約】【課題】良好な動画撮影を可能とするインナーフォーカス機能および像位置補正機能を備え、小型で優れた光学性能を有する魚眼レンズを提供する。【解決手段】この魚眼レンズは、物体側から順に、正の屈折力を有する第１レンズ群Ｇ11と、負の屈折力を有する第２レンズ群Ｇ12と、正の屈折力を有する第３レンズ群Ｇ13と、が配置されて構成される。第１レンズ群Ｇ11に含まれる正レンズＬ114は、開口絞りＳの近傍に配置されており、像位置補正光学系の機能を有している。第２レンズ群Ｇ12は、開口絞りＳの近傍に配置された負レンズＬ121により構成されており、フォーカス機能を有している。そして、所定の条件を満足することにより、小型で優れた光学性能を有する魚眼レンズを実現することができる。【選択図】図１
2014052503.tif 000002
【特許請求の範囲】
【請求項１】
物体側から順に配置された、正の屈折力を有する第１レンズ群と、正または負の屈折力を有する第２レンズ群と、正の屈折力を有する第３レンズ群と、を備え、
前記第２レンズ群を光軸に沿って移動させて無限遠物体から近距離物体へのフォーカシングを行い、
前記第１レンズ群の少なくとも一部または前記第３レンズ群の少なくとも一部が、光軸と直交する方向に移動して像位置の補正を行う像位置補正光学系としての機能を具備し、
前記第２レンズ群および前記像位置補正光学系の近傍に開口絞りが配置され、
以下に示す条件式を満足することを特徴とする魚眼レンズ。
（１）  １．０≦｜ｆｖ｜／ｆ≦５．０
（２）  １．０≦｜ｆ２｜／ｆ≦１０．０
ただし、ｆｖは前記像位置補正光学系の焦点距離、ｆは無限遠物体撮影時における前記魚眼レンズ全系の焦点距離、ｆ２は前記第２レンズ群の焦点距離を示す。
【請求項２】
前記第１レンズ群は負レンズ成分を含み構成され、
以下に示す条件式を満足することを特徴とする請求項１に記載の魚眼レンズ。
（３）  ０．５≦ｆｆ／Ｇｎ１Ｂ≦５．０
ただし、ｆｆは前記開口絞りよりも物体側に配置されたレンズ系の焦点距離、Ｇｎ１Ｂは前記第１レンズ群の最も物体側に配置された負レンズ成分から次のレンズ成分までの空気間隔を示す。
【請求項３】
以下に示す条件式を満足することを特徴とする請求項１または２に記載の魚眼レンズ。
（４）  １００≦ｆ／ｔａｎθｖ≦６０００
ただし、θｖは前記像位置補正光学系による像位置補正角度を示す。
【請求項４】
以下に示す条件式を満足することを特徴とする請求項１〜３のいずれか一つに記載の魚眼レンズ。
（５）  ｆ−ｆ’≦０
ただし、ｆ’は近距離物体撮影時（撮影倍率が１／４０倍）における前記魚眼レンズ全系の焦点距離を示す。
【発明の詳細な説明】
【技術分野】
【０００１】
本発明は、魚眼レンズに関し、デジタルカメラ、特にデジタル一眼レフカメラに適した小型の魚眼レンズに関する。
【背景技術】
【０００２】
従来の一般的な魚眼レンズは、全体繰り出し方式によるフォーカシングが行われているものが殆どで、また像位置補正光学系を具備していないものが大半であった。全体繰り出し方式によるフォーカシングでは、フォーカシングの際のレンズ駆動に時間がかかるが、静止画撮影であればフォーカシングの際のレンズ駆動に多少の時間がかかっても大きな問題にはならなかった。また、魚眼レンズは、焦点距離が比較的短いため静止画撮影では撮影像にブレが生じるおそれも少なく、手振れ補正機能を特に必要とはしていなかった。
【０００３】
しかしながら、近年、デジタル一眼レフカメラを含むデジタルカメラ全般において動画撮影機能を備えたものが増加してきている。動画撮影においては、静止画撮影に比べ、フォーカシングの時間短縮や手振れ補正機能が必要とされる。そこで、動画撮影機能を備えたカメラに搭載される魚眼レンズには、迅速なフォーカシングを行う機能や手振れを補正する機能が備えられているものが望まれている。
【０００４】
しかしながら、従来はかかる２つの機能を備えた魚眼レンズはなく、やむなくフォーカス機能のみを重視した魚眼レンズ（たとえば、特許文献１を参照。）を用いるか、手振れ補正を行う像位置補正機能を備えた他タイプ光学系（たとえば、特許文献２を参照。）で代用する以外に方法はなかった。
【先行技術文献】
【特許文献】
【０００５】
【特許文献１】特開２０１２−２２１０９号公報
【特許文献２】特許第３４１２９６４号
【発明の概要】
【発明が解決しようとする課題】
【０００６】
特許文献１に記載の魚眼レンズは、インナーフォーカス機能を備えたことにより迅速なフォーカシングを行うことはできるが、像位置補正機能が備えられていないため光学系自体で手振れ補正ができないという問題がある。
【０００７】
特許文献２に記載の光学系は、像位置補正機能を備え、像位置補正効果を発揮させたときの光学性能の低下を防止するインナーフォーカス式の光学系である。しかし、この光学系は、焦点距離が相対的に長めの望遠レンズとしての使用を想定したものであるため、広角もしくは魚眼レンズの代わりに使用すると、像位置補正角度が不足し、良好な動画撮影が困難である。動画撮影機能を備えたカメラに魚眼レンズの代用品として特許文献２に記載の光学系を用いる場合、限界がある。
【０００８】
本発明は、上述した従来技術による問題点を解消するため、良好な動画撮影を可能とするインナーフォーカス機能および像位置補正機能を備えた、小型で優れた光学性能を有する魚眼レンズを提供することを目的とする。
【課題を解決するための手段】
【０００９】
上述した課題を解決し、目的を達成するため、本発明にかかる魚眼レンズは、物体側から順に配置された、正の屈折力を有する第１レンズ群と、正または負の屈折力を有する第２レンズ群と、正の屈折力を有する第３レンズ群と、を備え、前記第２レンズ群を光軸に沿って移動させて無限遠物体から近距離物体へのフォーカシングを行い、前記第１レンズ群の少なくとも一部または前記第３レンズ群の少なくとも一部が、光軸と直交する方向に移動して像位置の補正を行う像位置補正光学系としての機能を具備し、前記第２レンズ群および前記像位置補正光学系の近傍に開口絞りが配置され、以下に示す条件式を満足することを特徴とする。
（１）  １．０≦｜ｆｖ｜／ｆ≦５．０
（２）  １．０≦｜ｆ２｜／ｆ≦１０．０
ただし、ｆｖは前記像位置補正光学系の焦点距離、ｆは無限遠物体撮影時における前記魚眼レンズ全系の焦点距離、ｆ２は前記第２レンズ群の焦点距離を示す。
【００１０】
本発明によれば、良好な動画撮影を可能とするインナーフォーカス機能および像位置補正機能を備えた、小型で優れた光学性能を有する魚眼レンズを提供することができる。
【００１１】
本発明にかかる魚眼レンズは、前記発明において、前記第１レンズ群が負レンズ成分を含み構成され、以下に示す条件式を満足することを特徴とする。
（３）  ０．５≦ｆｆ／Ｇｎ１Ｂ≦５．０
ただし、ｆｆは前記開口絞りよりも物体側に配置されたレンズ系の焦点距離、Ｇｎ１Ｂは前記第１レンズ群の最も物体側に配置された負レンズ成分から次のレンズ成分までの空気間隔を示す。
【００１２】
本発明によれば、フォーカシングを行う第２レンズ群と、像位置の補正を行う像位置補正光学系の小型化を図り、一層小型の魚眼レンズを提供することができる。
【００１３】
本発明にかかる魚眼レンズは、前記発明において、以下に示す条件式を満足することを特徴とする。
（４）  １００≦ｆ／ｔａｎθｖ≦６０００
ただし、θｖは前記像位置補正光学系による像位置補正角度を示す。
【００１４】
本発明によれば、より良好な像位置補正を実現することができる。
【００１５】
本発明にかかる魚眼レンズは、前記発明において、以下に示す条件式を満足することを特徴とする。
（５）  ｆ−ｆ’≦０
ただし、ｆ’は近距離物体撮影時（撮影倍率が１／４０倍）における前記魚眼レンズ全系の焦点距離を示す。
【００１６】
本発明によれば、魚眼レンズにおける近距離物体撮影時に適切な画角が確保され、良好な画像が得られる。
【発明の効果】
【００１７】
本発明によれば、良好な動画撮影を可能とするインナーフォーカス機能および像位置補正機能を備えた、小型で優れた光学性能を有する魚眼レンズを提供することができるという効果を奏する。特に、大きな像位置補正角度を確保することができ、像位置補正効果を十分に発揮しながら光学性能の劣化を防止することができる。本発明の魚眼レンズは、小型のデジタルカメラ、特にデジタル一眼レフカメラに適している。
【図面の簡単な説明】
【００１８】
【図１】実施例１にかかる魚眼レンズの構成を示す光軸に沿う断面図である。
【図２】実施例１にかかる魚眼レンズの無限遠物体撮影時におけるｄ線に対する諸収差図である。
【図３】実施例２にかかる魚眼レンズの構成を示す光軸に沿う断面図である。
【図４】実施例２にかかる魚眼レンズの無限遠物体撮影時におけるｄ線に対する諸収差図である。
【図５】実施例３にかかる魚眼レンズの構成を示す光軸に沿う断面図である。
【図６】実施例３にかかる魚眼レンズの無限遠物体撮影時におけるｄ線に対する諸収差図である。
【図７】実施例４にかかる魚眼レンズの構成を示す光軸に沿う断面図である。
【図８】実施例４にかかる魚眼レンズの無限遠物体撮影時におけるｄ線に対する諸収差図である。
【発明を実施するための形態】
【００１９】
以下、本発明にかかる魚眼レンズの好適な実施の形態を詳細に説明する。
【００２０】
本発明にかかる魚眼レンズは、物体側から順に配置された、正の屈折力を有する第１レンズ群と、正または負の屈折力を有する第２レンズ群と、正の屈折力を有する第３レンズ群と、を備えている。
【００２１】
本発明は、近年、一般的になりつつある動画撮影機能を備えた小型のデジタルカメラ、特にデジタル一眼レフカメラに適した小型の魚眼レンズを提供することを目的としている。この目的を達成するために、魚眼レンズには、良好な動画撮影を可能とするインナーフォーカス機能および像位置補正機能を備えた上で、高い光学性能が要求される。そこで、本発明では、かかる要求に応えるため、以下に示すような各種条件を設定している。
【００２２】
本発明にかかる魚眼レンズは、第２レンズ群を光軸に沿って移動させて、無限遠物体から近距離物体へのフォーカシングを行う。また、第１レンズ群の少なくとも一部または第３レンズ群の少なくとも一部に、像位置の補正を行う像位置補正光学系としての機能を担わせている。すなわち、この像位置補正光学系を光軸と直交する方向に移動させて撮影時の手振れによる像位置の補正を行う。
【００２３】
また、本発明にかかる魚眼レンズでは、第２レンズ群および像位置補正光学系の近傍に開口絞りが配置される。光学系中最も光束径が小さい開口絞りの近傍にフォーカス群である第２レンズ群や防振群である像位置補正光学系を配置することで、第２レンズ群や像位置補正光学系の口径を小さくすることができる。このようにすることで、第２レンズ群や像位置補正光学系の小型化、軽量化を図ることができる。この結果、第２レンズ群や像位置補正光学系の駆動機構にかかる重量負荷を低減することができる。
【００２４】
加えて、本発明にかかる魚眼レンズでは、優れた光学性能を得るため、像位置補正光学系の焦点距離をｆｖ、無限遠物体撮影時における魚眼レンズ全系の焦点距離をｆ、第２レンズ群の焦点距離をｆ２とするとき、次の条件式を満足することが好ましい。
（１）  １．０≦｜ｆｖ｜／ｆ≦５．０
（２）  １．０≦｜ｆ２｜／ｆ≦１０．０
【００２５】
条件式（１）は、無限遠物体撮影時における魚眼レンズ全系の焦点距離と像位置補正光学系の焦点距離との関係を示している。条件式（１）を満足することにより、像位置補正光学系の焦点距離が比較的長くなって、そのパワーを弱くすることができる。パワーが弱くなる分、像位置補正光学系を含むレンズ群で発生する諸収差を抑制することができる。この結果、大きな像位置補正角度を確保しつつ、諸収差の発生を抑制することが可能になる。
【００２６】
条件式（１）においてその下限値を下回ると、像位置補正光学系の焦点距離が短くなりすぎて、そのパワーが強くなりすぎる。このため、素早い像位置補正をするために、軽量化を図ってレンズ枚数を極力少なくした像位置補正光学系では、諸収差の発生を抑制することが困難になり、像位置補正角度を大きく取ることができない。一方、条件式（１）においてその上限値を超えると、像位置補正光学系の焦点距離が長くなりすぎて、そのパワーが弱くなりすぎる。このため、位置補正光学系の光軸に直交する方向の移動量をより大きく取らないと良好な像位置補正ができなくなる。この結果、魚眼レンズの径方向の大型化につながる。
【００２７】
条件式（２）は、無限遠物体撮影時における魚眼レンズ全系の焦点距離と、フォーカス群である第２レンズ群の焦点距離との関係を示している。条件式（２）を満足することにより、第２レンズ群の焦点距離が比較的長くなって、そのパワーを弱くすることができる。このため、第２レンズ群で発生する諸収差を抑制することが可能となり、良好な光学性能を維持することができる。
【００２８】
条件式（２）においてその下限値を下回ると、フォーカス群である第２レンズ群の焦点距離が短くなりすぎて、そのパワーが強くなりすぎる。このため、軽量化を図ってレンズ枚数を極力少なくした第２レンズ群では、諸収差の発生を抑制することが困難になる。一方、条件式（２）においてその上限値を超えると、第２レンズ群の焦点距離が長くなりすぎ、そのパワーが弱くなりすぎる。このため、第２レンズ群の移動量をより大きく取らないと、良好なピント合わせができなくなる。結果として、魚眼レンズの全長が延びることになる。
【００２９】
なお、上記条件式（１），（２）は、次に示す範囲を満足すると、より好ましい効果が期待できる。
（１ａ）  １．５≦｜ｆｖ｜／ｆ≦４．４
（２ａ）  ２．０≦｜ｆ２｜／ｆ≦９．０
条件式（１ａ），（２ａ）で規定する範囲を満足すれば、より優れた像位置補正機能と収差補正機能を備えた、小型の魚眼レンズを実現することができる。
【００３０】
さらに、上記条件式（１ａ），（２ａ）は、次に示す範囲を満足すると、さらなる好ましい効果が期待できる。
（１ｂ）  ２．０≦｜ｆｖ｜／ｆ≦３．８
（２ｂ）  ２．８≦｜ｆ２｜／ｆ≦８．０
条件式（１ｂ），（２ｂ）で規定する範囲を満足すれば、極めて優れた像位置補正機能と収差補正機能を備えた、小型の魚眼レンズを実現することができる。
【００３１】
さらに、本発明にかかる魚眼レンズでは、第１レンズ群が負レンズ成分を含み構成され、開口絞りよりも物体側に配置されたレンズ系の焦点距離をｆｆ、第１レンズ群の最も物体側に配置された負レンズ成分から次のレンズ成分までの空気間隔をＧｎ１Ｂとするとき、次の条件式を満足することが好ましい。
（３）  ０．５≦ｆｆ／Ｇｎ１Ｂ≦５．０
【００３２】
条件式（３）は、開口絞りより物体側に配置されたレンズ系の焦点距離と、第１レンズ群の最も物体側に配置された負レンズ成分から次のレンズ成分までの空気間隔との関係を示している。ｆｆの値の絶対値が小さくなるようにすれば、開口絞り径およびその周辺の光学系の口径が小さくなって、軸上光束と軸外光束を集めることができる。しかしながら、最物体側に負レンズ成分が配置されている魚眼レンズの性質から、ｆｆの値の絶対値が小さくなると、諸収差の補正が困難になる。そこで、本発明では、最物体側に配置された負レンズ成分から次のレンズ成分までの空気間隔を条件式（３）を満足する適正な範囲内に設定することで、当該負レンズ成分を活かした諸収差の補正を十分に行う。
【００３３】
また、条件式（３）を満足すると、像位置補正光学系および第２レンズ群の口径を小さくして軽量化することができ、第２レンズ群や像位置補正光学系の駆動機構にかかる重量負荷を低減することもできる。結果として、それらの駆動制御が容易になり、素早く駆動させることが可能になる。特に、魚眼レンズでは像位置補正角度を大きく取らないと像位置補正の効果が薄くなるため、特に像位置補正光学系の小型化、軽量化は重要になる。
【００３４】
条件式（３）においてその下限値を下回ると、物体側に負レンズ成分が多く配置されている魚眼レンズでは、開口絞りより物体側のレンズ系の焦点距離が短くなってそのパワーが強い正の値となり、諸収差の補正が困難になる。一方、条件式（３）においてその上限値を超えると、開口絞り、その周辺の像位置補正光学系および第２レンズ群の口径を小さくすることができない。この結果、像位置補正光学系および第２レンズ群が重量化して、第２レンズ群や像位置補正光学系の駆動機構にかかる重量負荷を低減することができず、それらを素早く駆動することが困難になり、動画撮影には不向きなレンズとなる。
【００３５】
なお、上記条件式（３）は、次に示す範囲を満足すると、より好ましい効果が期待できる。
（３ａ）  ０．５５≦ｆｆ／Ｇｎ１Ｂ≦４．０
この条件式（３ａ）で規定する範囲を満足すれば、像位置補正光学系および第２レンズ群の口径の小型化を図りながら、より良好な収差補正機能を備えることができる。
【００３６】
さらに、上記条件式（３ａ）は、次に示す範囲を満足すると、さらなる好ましい効果が期待できる。
（３ｂ）  ０．６≦ｆｆ／Ｇｎ１Ｂ≦３．５
この条件式（３ｂ）で規定する範囲を満足すれば、像位置補正光学系および第２レンズ群の口径の小型化を図りながら、極めて良好な収差補正機能を備えることができる。
【００３７】
さらに、本発明にかかる魚眼レンズでは、無限遠物体撮影時における魚眼レンズ全系の焦点距離をｆ、像位置補正光学系による像位置補正角度をθｖとするとき、次の条件式を満足することが好ましい。
（４）  １００≦ｆ／ｔａｎθｖ≦６０００
【００３８】
条件式（４）は、無限遠物体撮影時における魚眼レンズ全系の焦点距離と像位置補正光学系による像位置補正角度との関係を示している。一般に、魚眼レンズで広角撮影を行う場合、像位置補正光学系による像位置補正角度が小さいとその像位置補正効果を十分に発揮することができない。この不都合を回避するため、本発明では、条件式（４）を満足することで、良好な像位置補正を行うことができる。
【００３９】
条件式（４）においてその下限値を下回ると、像位置補正光学系による像位置補正角度が大きくなりすぎ、像位置補正光学系での諸収差の補正が困難になる。一方、条件式（４）においてその上限値を超えると、像位置補正光学系による像位置補正効果が薄くなって、特に動画撮影時の像ブレを軽減させることが困難になる。
【００４０】
なお、上記条件式（４）は、次に示す範囲を満足すると、より好ましい効果が期待できる。
（４ａ）  １５０≦ｆ／ｔａｎθｖ≦１０００
この条件式（４ａ）で規定する範囲を満足すれば、より良好な像位置補正機能を備えることができる。
【００４１】
さらに、上記条件式（４ａ）は、次に示す範囲を満足すると、さらなる好ましい効果が期待できる。
（４ｂ）  １７０≦ｆ／ｔａｎθｖ≦３００
この条件式（４ｂ）で規定する範囲を満足すれば、極めて良好な像位置補正機能を備えることができる。
【００４２】
さらに、本発明にかかる魚眼レンズでは、無限遠物体撮影時における魚眼レンズ全系の焦点距離をｆ、近距離物体撮影時（撮影倍率が１／４０倍）における魚眼レンズ全系の焦点距離をｆ’とするとき、次の条件式を満足することが好ましい。
（５）  ｆ−ｆ’≦０
【００４３】
条件式（５）は、無限遠物体撮影時における魚眼レンズ全系の焦点距離と、近距離物体撮影時（撮影倍率が１／４０倍）における魚眼レンズ全系の焦点距離との関係を示している。本発明の魚眼レンズでは、物体距離が近距離になった場合、フォーカス群である第２レンズ群を光軸に沿って移動させることにより合焦させる。第２レンズ群が移動することにより、レンズ全系の焦点距離が短くなると、画角が大きくなって、撮影画面周辺がケラレたり、撮影機材や撮影者自身の映り込みが発生するおそれがある。この不都合を回避するため、近距離物体撮影時の画角が無限遠物体撮影時の画角を超えないように、焦点距離を設定する必要がある。本発明にかかる魚眼レンズでは、条件式（５）を満足することにより、近距離物体撮影時の適切な焦点距離を設定することができるようになる。
【００４４】
以上説明したように、本発明にかかる魚眼レンズは、上記構成を備え、上記条件式を満足することにより、良好な動画撮影を可能とするインナーフォーカス機能および像位置補正機能を備えた、小型で優れた光学性能を有する魚眼レンズになる。特に、大きな像位置補正角度を確保することができ、像位置補正効果を十分に発揮しながら光学性能の劣化を防止することができる。本発明の魚眼レンズは、小型のデジタルカメラ、特にデジタル一眼レフカメラに適している。
【００４５】
以下、本発明にかかる魚眼レンズの実施例を図面に基づき詳細に説明する。なお、以下の実施例により本発明が限定されるものではない。
【実施例１】
【００４６】
図１は、実施例１にかかる魚眼レンズの構成を示す光軸に沿う断面図である。この魚眼レンズは、図示しない物体側から順に、正の屈折力を有する第１レンズ群Ｇ11と、負の屈折力を有する第２レンズ群Ｇ12と、正の屈折力を有する第３レンズ群Ｇ13と、が配置されて構成される。
【００４７】
第１レンズ群Ｇ11と第２レンズ群Ｇ12との間には、所定の口径を規定する開口絞りＳが配置されている。また、第３レンズ群Ｇ13と像面ＩＭＧとの間には、赤外カットフィルタ等のフィルタ類Ｆが配置されている。なお、像面ＩＭＧには、イメージセンサの受光面が配置される。
【００４８】
第１レンズ群Ｇ11は、物体側から順に、負レンズＬ111と、負レンズＬ112と、正レンズＬ113と、正レンズＬ114と、が配置されて構成される。正レンズＬ114は開口絞りＳの近傍に配置されており、その両面には非球面が形成されている。また、正レンズＬ114に、像位置補正光学系の機能を担わせている。すなわち、正レンズＬ114を光軸に対して直交する方向に移動させることにより、像位置補正を行う。
【００４９】
第２レンズ群Ｇ12は、負レンズＬ121により構成されている。負レンズＬ121は開口絞りＳの近傍に配置されており、その両面には非球面が形成されている。第２レンズ群Ｇ12に、フォーカス群としての機能を担わせている。すなわち、第２レンズ群Ｇ12を光軸に沿って物体側から像側へ移動することにより、無限遠物体から近距離物体へのフォーカシングを行う。
【００５０】
第３レンズ群Ｇ13は、物体側から順に、負レンズＬ131と、正レンズＬ132と、正レンズＬ133と、負レンズＬ134と、正レンズＬ135と、が配置されて構成される。負レンズＬ131と正レンズＬ132とは、接合されている。また、正レンズＬ133と負レンズＬ134とも、接合されている。
【００５１】
以下、実施例１にかかる魚眼レンズに関する各種数値データを示す。
【００５２】
ｆ（無限遠物体撮影時における魚眼レンズ全系の焦点距離）＝9.707
Ｆｎｏ．（Ｆナンバー）＝2.87
ω（半画角）＝90.50
【００５３】
（レンズデータ）
ｒ1＝40.820
ｄ1＝2.000    ｎｄ1＝1.883    νｄ1＝40.81
ｒ2＝12.969
ｄ2＝12.306
ｒ3＝-36.811
ｄ3＝1.500    ｎｄ2＝1.883    νｄ2＝40.81
ｒ4＝22.349
ｄ4＝4.408
ｒ5＝90.887
ｄ5＝4.119    ｎｄ3＝2.001    νｄ3＝25.46
ｒ6＝-37.463
ｄ6＝10.671
ｒ7＝19.865（非球面）
ｄ7＝4.906    ｎｄ4＝1.497    νｄ4＝81.56
ｒ8＝-19.386（非球面）
ｄ8＝5.000
ｒ9＝∞（開口絞り）
ｄ9＝1.100
ｒ10＝67.768（非球面）
ｄ10＝1.000    ｎｄ5＝1.821    νｄ5＝24.06
ｒ11＝17.746（非球面）
ｄ11＝3.083
ｒ12＝22.334
ｄ12＝1.000    ｎｄ6＝2.001    νｄ6＝25.46
ｒ13＝17.027
ｄ13＝2.141    ｎｄ7＝1.497    νｄ7＝81.61
ｒ14＝31.952
ｄ14＝0.671
ｒ15＝43.402
ｄ15＝4.088    ｎｄ8＝1.497    νｄ8＝81.61
ｒ16＝-21.820
ｄ16＝1.000    ｎｄ9＝2.003    νｄ9＝19.32
ｒ17＝-29.680
ｄ17＝0.300
ｒ18＝31.251
ｄ18＝2.707    ｎｄ10＝1.883    νｄ10＝40.81
ｒ19＝76.213
ｄ19＝1.000
ｒ20＝∞
ｄ20＝3.000    ｎｄ11＝1.517    νｄ11＝64.20
ｒ21＝∞
ｄ21＝14.000
ｒ22＝∞（像面）
【００５４】
円錐係数（ｋ）および非球面係数（Ａ，Ｂ，Ｃ，Ｄ）
（第７面）
ｋ＝0，
Ａ＝-1.5313×10-5，Ｂ＝9.4893×10-8，
Ｃ＝-1.8128×10-9，Ｄ＝8.7528×10-12
（第８面）
ｋ＝0，
Ａ＝9.4784×10-5，Ｂ＝-5.6706×10-7，
Ｃ＝3.1435×10-9，Ｄ＝-5.8172×10-12
（第１０面）
ｋ＝0，
Ａ＝3.9901×10-4，Ｂ＝-1.4077×10-5，
Ｃ＝2.7313×10-7，Ｄ＝-2.6707×10-9
（第１１面）
ｋ＝0，
Ａ＝3.8524×10-4，Ｂ＝-1.3527×10-5，
Ｃ＝2.3317×10-7，Ｄ＝-1.7242×10-9
【００５５】
（条件式（１）に関する数値）
ｆｖ（正レンズＬ114の焦点距離）＝20.592
｜ｆｖ｜／ｆ＝2.121
【００５６】
（条件式（２）に関する数値）
ｆ２（第２レンズ群Ｇ12の焦点距離）＝-29.544
｜ｆ２｜／ｆ＝3.044
【００５７】
（条件式（３）に関する数値）
ｆｆ（開口絞りＳよりも物体側に配置されたレンズ系の焦点距離）＝10.103
Ｇｎ１Ｂ(負レンズＬ111から負レンズＬ112までの空気間隔)＝12.306
ｆｆ／Ｇｎ１Ｂ＝0.821
【００５８】
（条件式（４）に関する数値）
θｖ（正レンズＬ114による像位置補正角度）＝3.057
ｆ／ｔａｎθｖ＝181.779
【００５９】
（条件式（５）に関する数値）
ｆ’（近距離物体撮影時（撮影倍率が１／４０倍）における魚眼レンズ全系の焦点距離）＝9.718
ｆ−ｆ’＝-0.011
【００６０】
図２は、実施例１にかかる魚眼レンズの無限遠物体撮影時におけるｄ線（λ＝５８７．５６ｎｍ）に対する諸収差図である。なお、非点収差図におけるＳ，Ｍは、それぞれサジタル像面、メリディオナル像面に対する収差を表す。また、歪曲収差図では、等距離射影方式（Ｙ＝ｆθ）によるズレ量を表示している（Ｙ：像高、ｆ：光学系全系の焦点距離、θ：半画角）。
【実施例２】
【００６１】
図３は、実施例２にかかる魚眼レンズの構成を示す光軸に沿う断面図である。この魚眼レンズは、図示しない物体側から順に、正の屈折力を有する第１レンズ群Ｇ21と、正の屈折力を有する第２レンズ群Ｇ22と、正の屈折力を有する第３レンズ群Ｇ23と、が配置されて構成される。
【００６２】
第２レンズ群Ｇ22と第３レンズ群Ｇ23との間には、所定の口径を規定する開口絞りＳが配置されている。また、第３レンズ群Ｇ23と像面ＩＭＧとの間には、赤外カットフィルタ等のフィルタ類Ｆが配置されている。なお、像面ＩＭＧには、イメージセンサの受光面が配置される。
【００６３】
第１レンズ群Ｇ21は、物体側から順に、負レンズＬ211と、負レンズＬ212と、正レンズＬ213と、が配置されて構成される。
【００６４】
第２レンズ群Ｇ22は、正レンズＬ221により構成されている。正レンズＬ221は開口絞りＳの近傍に配置されている。また、第２レンズ群Ｇ22に、フォーカス群としての機能を担わせている。すなわち、第２レンズ群Ｇ22を光軸に沿って像側から物体側へ移動させることにより、無限遠物体から近距離物体へのフォーカシングを行う。
【００６５】
第３レンズ群Ｇ23は、物体側から順に、負レンズＬ231と、負レンズＬ232と、正レンズＬ233と、正レンズＬ234と、負レンズＬ235と、正レンズＬ236と、が配置されて構成される。負レンズＬ232と正レンズＬ233とは、接合されている。また、正レンズＬ234と負レンズＬ235とも、接合されている。負レンズＬ231は開口絞りＳの近傍に配置されており、その両面には非球面が形成されている。また、負レンズＬ231に、像位置補正光学系の機能を担わせている。すなわち、負レンズＬ231を光軸に対して直交する方向に移動させることにより、像位置補正を行う。
【００６６】
以下、実施例２にかかる魚眼レンズに関する各種数値データを示す。
【００６７】
ｆ（無限遠物体撮影時における魚眼レンズ全系の焦点距離）＝9.712
Ｆｎｏ．（Ｆナンバー）＝2.85
ω（半画角）＝90.00
【００６８】
（レンズデータ）
ｒ1＝54.753
ｄ1＝2.000    ｎｄ1＝1.883    νｄ1＝40.81
ｒ2＝17.826
ｄ2＝16.368
ｒ3＝-54.112
ｄ3＝2.000    ｎｄ2＝1.497    νｄ2＝81.61
ｒ4＝20.495
ｄ4＝13.865
ｒ5＝39.300
ｄ5＝4.500    ｎｄ3＝1.904    νｄ3＝31.32
ｒ6＝-117.735
ｄ6＝11.294
ｒ7＝18.962
ｄ7＝2.096    ｎｄ4＝1.883    νｄ4＝40.81
ｒ8＝70.614
ｄ8＝2.521
ｒ9＝∞（開口絞り）
ｄ9＝1.237
ｒ10＝-24.333（非球面）
ｄ10＝1.000    ｎｄ5＝1.517    νｄ5＝64.20
ｒ11＝42.193（非球面）
ｄ11＝0.677
ｒ12＝75.518
ｄ12＝1.000    ｎｄ6＝1.946    νｄ6＝17.98
ｒ13＝10.764
ｄ13＝2.769    ｎｄ7＝1.786    νｄ7＝43.93
ｒ14＝-66.665
ｄ14＝0.200
ｒ15＝31.929
ｄ15＝4.742    ｎｄ8＝1.497    νｄ8＝81.61
ｒ16＝-9.593
ｄ16＝1.000    ｎｄ9＝1.723    νｄ9＝37.99
ｒ17＝172.213
ｄ17＝0.429
ｒ18＝55.304
ｄ18＝3.665    ｎｄ10＝1.923    νｄ10＝20.88
ｒ19＝-34.254
ｄ19＝1.000
ｒ20＝∞
ｄ20＝3.000    ｎｄ11＝1.517    νｄ11＝64.20
ｒ21＝∞
ｄ21＝14.637
ｒ22＝∞（像面）
【００６９】
円錐係数（ｋ）および非球面係数（Ａ，Ｂ，Ｃ，Ｄ）
（第１０面）
ｋ＝0，
Ａ＝6.2842×10-4，Ｂ＝-2.2904×10-5，
Ｃ＝5.9425×10-7，Ｄ＝-7.1578×10-9
（第１１面）
ｋ＝0，
Ａ＝6.0112×10-4，Ｂ＝-2.1167×10-5，
Ｃ＝4.7960×10-7，Ｄ＝-4.8289×10-9
【００７０】
（条件式（１）に関する数値）
ｆｖ（負レンズＬ231の焦点距離）＝-29.711
｜ｆｖ｜／ｆ＝3.059
【００７１】
（条件式（２）に関する数値）
ｆ２（第２レンズ群Ｇ22の焦点距離）＝28.810
｜ｆ２｜／ｆ＝2.966
【００７２】
（条件式（３）に関する数値）
ｆｆ（開口絞りＳよりも物体側に配置されたレンズ系の焦点距離）＝10.271
Ｇｎ１Ｂ(負レンズＬ211から負レンズＬ212までの空気間隔)＝16.368
ｆｆ／Ｇｎ１Ｂ＝0.627
【００７３】
（条件式（４）に関する数値）
θｖ（負レンズＬ231による像位置補正角度）＝3.061
ｆ／ｔａｎθｖ＝181.641
【００７４】
（条件式（５）に関する数値）
ｆ’（近距離物体撮影時（撮影倍率が１／４０倍）における魚眼レンズ全系の焦点距離）＝9.743
ｆ−ｆ’＝-0.031
【００７５】
図４は、実施例２にかかる魚眼レンズの無限遠物体撮影時におけるｄ線（λ＝５８７．５６ｎｍ）に対する諸収差図である。なお、非点収差図におけるＳ，Ｍは、それぞれサジタル像面、メリディオナル像面に対する収差を表す。また、歪曲収差図では、等距離射影方式（Ｙ＝ｆθ）によるズレ量を表示している（Ｙ：像高、ｆ：光学系全系の焦点距離、θ：半画角）。
【実施例３】
【００７６】
図５は、実施例３にかかる魚眼レンズの構成を示す光軸に沿う断面図である。この魚眼レンズは、図示しない物体側から順に、正の屈折力を有する第１レンズ群Ｇ31と、負の屈折力を有する第２レンズ群Ｇ32と、正の屈折力を有する第３レンズ群Ｇ33と、が配置されて構成される。
【００７７】
第２レンズ群Ｇ32と第３レンズ群Ｇ33との間には、所定の口径を規定する開口絞りＳが配置されている。また、第３レンズ群Ｇ33と像面ＩＭＧとの間には、赤外カットフィルタ等のフィルタ類Ｆが配置されている。なお、像面ＩＭＧには、イメージセンサの受光面が配置される。
【００７８】
第１レンズ群Ｇ31は、物体側から順に、負レンズＬ311と、負レンズＬ312と、正レンズＬ313と、正レンズＬ314と、が配置されて構成される。
【００７９】
第２レンズ群Ｇ32は、負レンズＬ321により構成されている。負レンズＬ321は開口絞りＳの近傍に配置されており、その両面には非球面が形成されている。また、第２レンズ群Ｇ32に、フォーカス群としての機能を担わせている。すなわち、第２レンズ群Ｇ32を光軸に沿って物体側から像側へ移動させることにより、無限遠物体から近距離物体へのフォーカシングを行う。
【００８０】
第３レンズ群Ｇ33は、物体側から順に、負レンズＬ331と、正レンズＬ332と、正レンズＬ333と、負レンズＬ334と、正レンズＬ335と、が配置されて構成される。負レンズＬ331と正レンズＬ332とは、接合されている。また、正レンズＬ333と負レンズＬ334とも、接合されている。負レンズＬ331は、開口絞りＳの近傍に配置されている。正レンズＬ332の像側面には、非球面が形成されている。また、負レンズＬ331と正レンズＬ332との接合レンズに、像位置補正光学系の機能を担わせている。すなわち、負レンズＬ331と正レンズＬ332との接合レンズを光軸に対して直交する方向に移動させることにより、像位置補正を行う。
【００８１】
以下、実施例３にかかる魚眼レンズに関する各種数値データを示す。
【００８２】
ｆ（無限遠物体撮影時における魚眼レンズ全系の焦点距離）＝9.708
Ｆｎｏ．（Ｆナンバー）＝2.87
ω（半画角）＝90.50
【００８３】
（レンズデータ）
ｒ1＝66.941
ｄ1＝2.000    ｎｄ1＝1.904    νｄ1＝31.32
ｒ2＝19.576
ｄ2＝18.000
ｒ3＝-64.023
ｄ3＝2.000    ｎｄ2＝1.497    νｄ2＝81.61
ｒ4＝17.193
ｄ4＝13.333
ｒ5＝48.406
ｄ5＝4.443    ｎｄ3＝1.835    νｄ3＝42.72
ｒ6＝-52.970
ｄ6＝0.300
ｒ7＝29.883
ｄ7＝3.750    ｎｄ4＝1.603    νｄ4＝60.69
ｒ8＝-100.633
ｄ8＝1.630
ｒ9＝-25.995（非球面）
ｄ9＝1.000    ｎｄ5＝1.497    νｄ5＝81.56
ｒ10＝99.439（非球面）
ｄ10＝8.533
ｒ11＝∞（開口絞り）
ｄ11＝1.000
ｒ12＝18.802
ｄ12＝1.000    ｎｄ6＝1.904    νｄ6＝31.32
ｒ13＝9.559
ｄ13＝2.527    ｎｄ7＝1.743    νｄ7＝49.22
ｒ14＝699.037（非球面）
ｄ14＝2.223
ｒ15＝-73.597
ｄ15＝4.608    ｎｄ8＝1.743    νｄ8＝49.22
ｒ16＝-9.481
ｄ16＝1.000    ｎｄ9＝1.923    νｄ9＝20.88
ｒ17＝-16.409
ｄ17＝1.333
ｒ18＝-12.168
ｄ18＝2.000    ｎｄ10＝1.923    νｄ10＝20.88
ｒ19＝-17.165
ｄ19＝0.100
ｒ20＝∞
ｄ20＝3.000    ｎｄ11＝1.517    νｄ11＝64.20
ｒ21＝∞
ｄ21＝14.000
ｒ22＝∞（像面）
【００８４】
円錐係数（ｋ）および非球面係数（Ａ，Ｂ，Ｃ，Ｄ）
（第９面）
ｋ＝0，
Ａ＝6.5704×10-5，Ｂ＝-5.7262×10-8，
Ｃ＝2.6528×10-10，Ｄ＝-9.2352×10-13
（第１０面）
ｋ＝0，
Ａ＝3.3331×10-5，Ｂ＝6.0018×10-8，
Ｃ＝1.8044×10-9，Ｄ＝-3.8988×10-12
（第１４面）
ｋ＝0，
Ａ＝9.2566×10-6，Ｂ＝-4.1615×10-8，
Ｃ＝-1.6235×10-8，Ｄ＝2.2974×10-10
【００８５】
（条件式（１）に関する数値）
ｆｖ（負レンズＬ331と正レンズＬ332との接合レンズの焦点距離）＝32.549
｜ｆｖ｜／ｆ＝3.353
【００８６】
（条件式（２）に関する数値）
ｆ２（第２レンズ群Ｇ32の焦点距離）＝-41.347
｜ｆ２｜／ｆ＝4.259
【００８７】
（条件式（３）に関する数値）
ｆｆ（開口絞りＳよりも物体側に配置されたレンズ系の焦点距離）＝62.021
Ｇｎ１Ｂ(負レンズＬ311から負レンズＬ312までの空気間隔)＝18.000
ｆｆ／Ｇｎ１Ｂ＝3.446
【００８８】
（条件式（４）に関する数値）
θｖ（負レンズＬ331と正レンズＬ332との接合レンズによる像位置補正角度）＝3.066
ｆ／ｔａｎθｖ＝181.221
【００８９】
（条件式（５）に関する数値）
ｆ’（近距離物体撮影時（撮影倍率が１／４０倍）における魚眼レンズ全系の焦点距離）＝9.754
ｆ−ｆ’＝-0.046
【００９０】
図６は、実施例３にかかる魚眼レンズの無限遠物体撮影時におけるｄ線（λ＝５８７．５６ｎｍ）に対する諸収差図である。なお、非点収差図におけるＳ，Ｍは、それぞれサジタル像面、メリディオナル像面に対する収差を表す。また、歪曲収差図では、等距離射影方式（Ｙ＝ｆθ）によるズレ量を表示している（Ｙ：像高、ｆ：光学系全系の焦点距離、θ：半画角）。
【実施例４】
【００９１】
図７は、実施例４にかかる魚眼レンズの構成を示す光軸に沿う断面図である。この魚眼レンズは、図示しない物体側から順に、正の屈折力を有する第１レンズ群Ｇ41と、正の屈折力を有する第２レンズ群Ｇ42と、正の屈折力を有する第３レンズ群Ｇ43と、が配置されて構成される。
【００９２】
第１レンズ群Ｇ41と第２レンズ群Ｇ42との間には、所定の口径を規定する開口絞りＳが配置されている。また、第３レンズ群Ｇ43と像面ＩＭＧとの間には、赤外カットフィルタ等のフィルタ類Ｆが配置されている。なお、像面ＩＭＧには、イメージセンサの受光面が配置される。
【００９３】
第１レンズ群Ｇ41は、物体側から順に、負レンズＬ411と、負レンズＬ412と、正レンズＬ413と、正レンズＬ414と、が配置されて構成される。正レンズＬ414は開口絞りＳの近傍に配置されており、その両面には非球面が形成されている。また、正レンズＬ414に、像位置補正光学系の機能を担わせている。すなわち、正レンズＬ414を光軸に対して直交する方向に移動させることにより、像位置補正を行う。
【００９４】
第２レンズ群Ｇ42は、正レンズＬ421により構成されている。正レンズＬ421は開口絞りＳの近傍に配置されており、その両面には非球面が形成されている。第２レンズ群Ｇ42に、フォーカス群としての機能を担わせている。すなわち、第２レンズ群Ｇ42を光軸に沿って像側から物体側へ移動させることにより、無限遠物体から近距離物体へのフォーカシングを行う。
【００９５】
第３レンズ群Ｇ43は、物体側から順に、負レンズＬ431と、正レンズＬ432と、正レンズＬ433と、負レンズＬ434と、正レンズＬ435と、が配置されて構成される。負レンズＬ431と正レンズＬ432とは、接合されている。また、正レンズＬ433と負レンズＬ434とも、接合されている。
【００９６】
以下、実施例４にかかる魚眼レンズに関する各種数値データを示す。
【００９７】
ｆ（無限遠物体撮影時における魚眼レンズ全系の焦点距離）＝9.790
Ｆｎｏ．（Ｆナンバー）＝2.83
ω（半画角）＝90.50
【００９８】
（レンズデータ）
ｒ1＝55.428
ｄ1＝2.000    ｎｄ1＝1.883    νｄ1＝40.81
ｒ2＝15.074
ｄ2＝14.721
ｒ3＝-29.643
ｄ3＝2.000    ｎｄ2＝1.497    νｄ2＝81.61
ｒ4＝20.730
ｄ4＝7.236
ｒ5＝42.366
ｄ5＝4.500    ｎｄ3＝1.904    νｄ3＝31.32
ｒ6＝-52.092
ｄ6＝11.320
ｒ7＝42.954（非球面）
ｄ7＝2.213    ｎｄ4＝1.497    νｄ4＝81.61
ｒ8＝-30.420（非球面）
ｄ8＝1.000
ｒ9＝∞（開口絞り）
ｄ9＝3.778
ｒ10＝11.364（非球面）
ｄ10＝1.283    ｎｄ5＝1.883    νｄ5＝40.81
ｒ11＝12.910（非球面）
ｄ11＝1.946
ｒ12＝40.657
ｄ12＝1.000    ｎｄ6＝1.946    νｄ6＝17.98
ｒ13＝10.409
ｄ13＝2.477    ｎｄ7＝1.497    νｄ7＝81.61
ｒ14＝73.172
ｄ14＝1.997
ｒ15＝-19.071
ｄ15＝3.713    ｎｄ8＝1.804    νｄ8＝46.50
ｒ16＝-8.919
ｄ16＝1.000    ｎｄ9＝1.904    νｄ9＝31.32
ｒ17＝-19.526
ｄ17＝0.100
ｒ18＝44.351
ｄ18＝4.406    ｎｄ10＝1.923    νｄ10＝20.88
ｒ19＝-61.931
ｄ19＝0.100
ｒ20＝∞
ｄ20＝3.000    ｎｄ11＝1.517    νｄ11＝64.20
ｒ21＝∞
ｄ21＝14.000
ｒ22＝∞（像面）
【００９９】
円錐係数（ｋ）および非球面係数（Ａ，Ｂ，Ｃ，Ｄ）
（第７面）
ｋ＝0，
Ａ＝-5.0330×10-5，Ｂ＝-3.1284×10-7，
Ｃ＝-1.5019×10-8，Ｄ＝-2.0603×10-10
（第８面）
ｋ＝0，
Ａ＝-2.4188×10-5，Ｂ＝-4.2655×10-7，
Ｃ＝-2.2010×10-8，Ｄ＝2.8401×10-11
（第１０面）
ｋ＝0，
Ａ＝1.5081×10-4，Ｂ＝3.5068×10-8，
Ｃ＝6.0741×10-9，Ｄ＝1.0755×10-9
（第１１面）
ｋ＝0，
Ａ＝1.8967×10-4，Ｂ＝9.6029×10-7，
Ｃ＝-3.1581×10-8，Ｄ＝2.3691×10-9
【０１００】
（条件式（１）に関する数値）
ｆｖ（正レンズＬ414の焦点距離）＝36.194
｜ｆｖ｜／ｆ＝3.697
【０１０１】
（条件式（２）に関する数値）
ｆ２（第２レンズ群Ｇ42の焦点距離）＝77.374
｜ｆ２｜／ｆ＝7.903
【０１０２】
（条件式（３）に関する数値）
ｆｆ（開口絞りＳよりも物体側に配置されたレンズ系の焦点距離）＝15.415
Ｇｎ１Ｂ(負レンズＬ411から負レンズＬ412までの空気間隔)＝14.721
ｆｆ／Ｇｎ１Ｂ＝1.047
【０１０３】
（条件式（４）に関する数値）
θｖ（正レンズＬ414による像位置補正角度）＝3.036
ｆ／ｔａｎθｖ＝184.613
【０１０４】
（条件式（５）に関する数値）
ｆ’（近距離物体撮影時（撮影倍率が１／４０倍）における魚眼レンズ全系の焦点距離）＝9.797
ｆ−ｆ’＝-0.007
【０１０５】
図８は、実施例４にかかる魚眼レンズの無限遠物体撮影時におけるｄ線（λ＝５８７．５６ｎｍ）に対する諸収差図である。なお、非点収差図におけるＳ，Ｍは、それぞれサジタル像面、メリディオナル像面に対する収差を表す。また、歪曲収差図では、等距離射影方式（Ｙ＝ｆθ）によるズレ量を表示している（Ｙ：像高、ｆ：光学系全系の焦点距離、θ：半画角）。
【０１０６】
なお、上記各実施例中の数値データにおいて、ｒ1，ｒ2，・・・・は各レンズ、絞り面等の曲率半径、ｄ1，ｄ2，・・・・は各レンズ、絞り等の肉厚またはそれらの面間隔、ｎｄ1，ｎｄ2，・・・・は各レンズ等のｄ線（λ＝５８７．５６ｎｍ）に対する屈折率、νｄ1，νｄ2，・・・・は各レンズ等のｄ線（λ＝５８７．５６ｎｍ）に対するアッベ数を示している。そして、長さの単位はすべて「ｍｍ」、角度の単位はすべて「°」である。
【０１０７】
また、上記各非球面形状は、非球面の深さをＺ、曲率をｃ（１／ｒ）、光軸からの高さをｈ、円錐係数をｋ、４次，６次，８次，１０次の非球面係数をそれぞれＡ，Ｂ，Ｃ，Ｄとし、光の進行方向を正とするとき、以下に示す式により表される。
【０１０８】
【数１】
2014052503.tif 000003
【０１０９】
以上説明したように、上記各実施例の魚眼レンズは、上記各条件式を満足することにより、良好な動画撮影を可能とするインナーフォーカス機能および像位置補正機能を備えた、小型で優れた光学性能を有する魚眼レンズになる。特に、大きな像位置補正角度を確保することができ、像位置補正効果を十分に発揮しながら光学性能の劣化を防止することができる。本発明の魚眼レンズは、小型のデジタルカメラ、特にデジタル一眼レフカメラに適している。なお、適宜非球面が形成されたレンズや接合レンズを配置することで、少ないレンズ枚数でより収差補正能力を向上させることができる。
【産業上の利用可能性】
【０１１０】
以上のように、本発明にかかる魚眼レンズは、小型で、高い光学性能が要求される動画撮影可能なデジタルカメラに有用であり、特に、デジタル一眼レフカメラに適している。
【符号の説明】
【０１１１】
Ｇ11，Ｇ21，Ｇ31，Ｇ41  第１レンズ群
Ｇ12，Ｇ22，Ｇ32，Ｇ42  第２レンズ群
Ｇ13，Ｇ23，Ｇ33，Ｇ43  第３レンズ群
Ｌ111，Ｌ112，Ｌ121，Ｌ131，Ｌ134，Ｌ211，Ｌ212，Ｌ231，Ｌ232，Ｌ235，Ｌ311，Ｌ312，Ｌ321，Ｌ331，Ｌ334，Ｌ411，Ｌ412，Ｌ431，Ｌ434  負レンズ
Ｌ113，Ｌ114，Ｌ132、Ｌ133，Ｌ135，Ｌ213，Ｌ221，Ｌ233，Ｌ234，Ｌ236，Ｌ313，Ｌ314，Ｌ332，Ｌ333，Ｌ335，Ｌ413，Ｌ414，Ｌ421，Ｌ432，Ｌ433，Ｌ435  正レンズ
Ｓ  開口絞り
Ｆ  フィルタ類
ＩＭＧ  像面
【図１】
2014052503.tif 000004
【図２】
2014052503.tif 000005
【図３】
2014052503.tif 000006
【図４】
2014052503.tif 000007
【図５】
2014052503.tif 000008
【図６】
2014052503.tif 000009
【図７】
2014052503.tif 000010
【図８】
2014052503.tif 000011